(57)【要約】  製品の運搬に関して柔軟に採用することが可能な、長固定子リニアモーター１のための柔軟な運搬装置２を提示するために、本発明による運搬装置２は、運搬ユニット２０と製品キャリア２１を有し、これらの運搬ユニット２０と製品キャリア２１が、それぞれ移動方向ｘに配置された少なくとも一つのガイド部品２０１，２１１を有し、この運搬ユニット２０が、移動方向ｘに配置された、運搬ユニット２０を駆動する駆動磁石Ｍ１，Ｍ２を有し、この製品キャリア２１が、駆動部を持たず、連結点Ｋを介して運搬ユニット２０と連結することが可能であるとともに、運搬ユニット２０によって、連結点Ｋを介して駆動することが可能である。
2021528336.tif 000002
【特許請求の範囲】
【請求項１】
運搬ユニット（２０）と製品キャリア（２１）を有する、長固定子リニアモーター（１）のための運搬装置（２）であって、
これらの運搬ユニット（２０）と製品キャリア（２１）が、それぞれ移動方向（ｘ）に配置された少なくとも一つのガイド要素（２０１，２１１）を有し、
この運搬ユニット（２０）が、移動方向（ｘ）に配置された、運搬ユニット（２０）を駆動する駆動磁石（Ｍ１，Ｍ２）を有し、
この製品キャリア（２１）が、駆動部を持たず、連結点（Ｋ）を介して運搬ユニット（２０）と連結することが可能であるとともに、運搬ユニット（２０）によって、連結点（Ｋ）を介して駆動されることが可能である当該運搬装置。
【請求項２】
前記の運搬装置（２）が、移動方向（ｘ）に配置された少なくとも一つのガイド要素（２０１，２１１）を備えた、少なくとも一つの更に別の製品キャリア（２１）を有し、この少なくとも一つの更に別の製品キャリア（２１’）が、駆動部を持たず、少なくとも一つの更に別の連結点（Ｋ’）を介して運搬ユニット（２０）又は製品キャリア（２１）と連結することが可能であるとともに、運搬ユニット（２０）又は製品キャリア（２１）によって、この少なくとも一つの更に別の連結点（Ｋ’）を介して駆動されることが可能であることを特徴とする請求項１に記載の運搬装置（２）。
【請求項３】
運搬装置（２）が、移動方向（ｘ）に配置された少なくとも一つのガイド要素（２０１，２１１）を備えた、少なくとも一つの更に別の運搬ユニット（２０’）を有し、この少なくとも一つの更に別の運搬ユニット（２０’）は、移動方向（ｘ）に配置された、この更に別の運搬ユニット（２０’）を駆動する更に別の駆動磁石（Ｍ１’，Ｍ２’）を有し、前記の製品キャリア（２１）が、更に別の連結点（Ｋ’）を介して前記の更に別の運搬ユニット（２０’）と連結することが可能であるとともに、運搬ユニット（２０）によって、連結点（Ｋ）を介して駆動されることが可能であることを特徴とする請求項１に記載の運搬装置（２）。
【請求項４】
運搬装置（２）が、移動方向（ｘ）に配置された少なくとも一つのガイド要素（２０１，２１１）を備えた、少なくとも一つの更に別の運搬ユニット（２０’）を有し、この少なくとも一つの更に別の運搬ユニット（２０’）は、移動方向（ｘ）に配置された、この更に別の運搬ユニット（２０’）を駆動する更に別の駆動磁石（Ｍ１’，Ｍ２’）を有し、前記の製品キャリア（２１）又は前記の少なくとも一つの更に別の製品キャリア（２１’）が、第二の更に別の連結点（Ｋ’’）を介して前記の更に別の運搬ユニット（２０’）と連結することが可能であるとともに、この更に別の運搬ユニット（２０’）によって、第二の更に別の連結点（Ｋ’’）を介して駆動することが可能であることを特徴とする請求項２に記載の運搬装置（２）。
【請求項５】
前記の製品キャリア（２１）又は前記の更に別の製品キャリア（２１’）が、移動方向（ｘ）に折り曲がり可能な形で実現されていることを特徴とする請求項１〜４のいずれか１項に記載の運搬装置（２）。
【請求項６】
前記の製品キャリア（２１）又は前記の更に別の製品キャリア（２１’）が、製品（４）と係合させることが可能な係合部品（２１３）を有することを特徴とする請求項１〜５のいずれか１項に記載の運搬装置（２）。
【請求項７】
請求項１〜６のいずれか１項に記載の少なくとも一つの運搬装置（２）と、移動方向（ｘ）に向けられた運搬区間（１０）とを有する長固定子リニアモーター（１）であって、
少なくとも一つの運搬装置（２）を運搬区間（１０）に沿って案内するために、ガイド要素（２０１，２１１）と協力して動作する区間ガイド要素（１０１，１０２）と、
少なくとも一つの運搬装置（２）を運搬区間（１０）に沿って駆動するために、駆動磁石（Ｍｎ）と協力して動作するように構成された、運搬区間に沿って並んで配置された一定数の駆動コイル（Ｓｍ）と、を有する長固定子リニアモーター。
【請求項８】
第一の区間ガイド要素（１０１）が、運搬ユニット（２０）のガイド要素（２０１）及び製品キャリア（２１）の少なくとも一つのガイド要素（２１１）と協力して動作することを特徴とする請求項７に記載の長固定子リニアモーター（１）。
【請求項９】
第二の区間ガイド要素（１０２）が、製品キャリア（２１）の少なくとも一つの第二のガイド要素（２１２）と協力して動作することを特徴とする請求項８に記載の長固定子リニアモーター（１）。
【請求項１０】
第一の区間ガイド要素（１０１）が、運搬ユニット（２０）の少なくとも一つのガイド要素（２０１）と協力して動作し、第二の区間ガイド要素（１０２）が、製品キャリア（２１）の少なくとも一つのガイド要素（２１１）と協力して動作することを特徴とする請求項７に記載の長固定子リニアモーター（１）。
【発明の詳細な説明】
【技術分野】
【０００１】
本発明は、長固定子リニアモーターのための運搬装置及び少なくとも一つの運搬装置を備えた長固定子リニアモーターに関する。
【背景技術】
【０００２】
長固定子リニアモーター（ＬＬＭ）のステーターは、多数の並んで配置された電子駆動コイルを有し、これらのコイルは、運搬区間に沿って固定位置に配置されている。ステーター上を動く運搬ユニットには、永久磁石、電気コイル又は短絡巻き線としての一定数の駆動磁石が配置されている。それらの駆動磁石は、通常、ステーターの駆動コイルと協力して動作できるように、運搬ユニットに移動方向に沿って取り付けられている。長固定子リニアモーターは、自励式又は他励式の同期機械としても、或いは非同期機械としても実現することができる。磁石と駆動コイルの（電）磁界の協力した動作によって、推進力が搬送ユニットの磁石に作用し、次に、それによって、搬送ユニットが移動方向に動かされる。それは、個々の駆動コイルを駆動して、推進力の大きさに影響する磁束を調節することによって実施される。長固定子リニアモーターは、最新の柔軟な物流ユニットの要件を満たすために、従来の連続コンベヤー又は回転・直線変換ユニット（例えば、ベルトコンベヤー、ベルト、チェーン等における回転モーター）に対する代替装置として益々用いられている。
【０００３】
一般的に、長固定子リニアモーターは、大抵一つの面内に配置されており、その結果、運搬ユニットは、平坦な運搬区間に沿って動かされる。その場合、運搬区間は、曲がったセグメント、直線の形の運搬セグメントから構成するか、或いは転轍機から構成することもできる。当然のことながら、好適な手法により運搬ユニットを運搬区間に沿って案内して、それに保持しなければならない。そのために、運搬ユニットには、運搬区間に配備された区間案内部品と協力して動作する案内部品が配備されている。その場合、例えば、ローラー、ホイール、スライド部品、ガイド面などの任意のガイド要素及び区間ガイド要素を採用することができる。
【０００４】
長固定子リニアモーターを用いて、荷物又は製品のための効率的な運搬システムを実現することができる。荷物又は製品は、標準的には、一つ又は複数の運搬ユニットに固定されて、それと一緒に運ばれる。特許文献１〜４は、運搬ユニットによって製品を運搬区間に沿って運ぶ、そのような装置を記載している。しかし、特殊なサイズの製品は、流通している運搬ユニットでは理想的な形で運ぶことができない。同様に、重い製品は、場合によっては、運搬ユニットの所与の最大荷重のために運搬することができない。
【先行技術文献】
【特許文献】
【０００５】
【特許文献１】米国特許公開第２０１７／０３４１８７５号明細書
【特許文献２】米国特許登録第８，０９６，４０９号明細書
【特許文献３】米国特許登録第７，１３４，２５８号明細書
【特許文献４】欧州特許登録第２７０９６８号明細書
【発明の概要】
【発明が解決しようとする課題】
【０００６】
以上のことから、本発明の課題は、製品の運搬に関して柔軟に採用することが可能な長固定子リニアモーター及び長固定子リニアモーターのための運搬装置を提示することである。
【課題を解決するための手段】
【０００７】
この課題は、本発明に基づき、長固定子リニアモーターのための運搬装置が、運搬ユニットと製品キャリアを有し、これらの運搬ユニットと製品キャリアが、それぞれ移動方向に配置された少なくとも一つのガイド要素を有し、この運搬ユニットが移動方向に配置された、運搬ユニットを駆動する駆動磁石を有し、この製品キャリアが駆動部を持たず、連結点を介して運搬ユニットと連結することが可能であるとともに、運搬ユニットによって、連結点を介して駆動することが可能であることによって解決される。この製品キャリアは、基本的に運搬ユニットと別個に実現されて、駆動部を持たない、即ち、駆動力を持たない。しかし、この製品キャリアは、運搬ユニットによって、連結点を介して駆動することができる。そのため、本運搬装置は、一般的な運搬ユニットと、製品運搬に関する要件を満たす特別な製品キャリアとから構成することもできる。この製品キャリアのガイド要素は、運搬ユニットに対して数多くの形態及び／又は堅牢な形態で実現することができ、このことは、この製品キャリアによって、より大きな荷物を運ぶことを可能にする。「連結することが可能である」とは、この製品キャリアが連結点を介して運搬ユニットと固く、或いは解除可能に連結されているか、或いは連結できることを意味する。それにより、この製品キャリアは、運搬ユニットによって駆動することが可能である。この製品キャリアは、運搬ユニットと連結されている場合に、運搬ユニットによって駆動される。
【０００８】
本運搬装置は、移動方向に配置された少なくとも一つのガイド要素を備えた少なくとも一つの更に別の製品キャリアを有することができ、この少なくとも一つの更に別の製品キャリアは、少なくとも一つの更に別の連結点を介して運搬ユニット又は製品キャリアと連結することが可能であるとともに、運搬ユニット又は製品キャリアによって、この少なくとも一つの更に別の連結点を介して駆動することが可能である。そのため、この更に別の製品キャリアは、この少なくとも一つの更に別の連結点を介して第一の製品キャリア又は運搬ユニットと連結することができる。そのように、更に別の製品キャリアを本運搬装置に組み入れることが可能であり、その際、推進力は、各連結点を介して運搬ユニットから製品キャリアに伝達される。この更に別の連結点は、当然のことながら、必ずしも第一の連結点と同じ形態で実現する必要はなく、そのことは、当然のことながら、製品キャリアと運搬ユニットの間の適合性を高めるものであり、そのため、まさしくそれらの組合せの可能性をも高める場合であっても、その必要はない。
【０００９】
本運搬装置は、移動方向に配置された少なくとも一つのガイド要素を備えた少なくとも一つの更に別の運搬ユニットを有することもでき、この少なくとも一つの更に別の運搬ユニットは、移動方向に配置された、この更に別の運搬ユニットを駆動する更に別の駆動磁石を有し、この製品キャリアは、更に別の連結点を介して、この更に別の運搬ユニットと連結することが可能であるとともに、運搬ユニットによって、連結点を介して駆動することが可能である。それにより、更に別の運搬ユニットを本運搬装置に組み入れることができ、それによって、第一の運搬ユニットからも、第二の運搬ユニットからも、それぞれ推進力が各連結点を介して製品キャリアに伝達される。このことは、特に重い製品キャリアの場合又は特に重い製品を運ぶように設計された製品キャリアの場合に有利である。
【００１０】
本運搬装置は、有利には、移動方向に配置された少なくとも一つのガイド要素を備えた少なくとも一つの更に別の製品キャリアを有することができ、この少なくとも一つの更に別の製品キャリアは、少なくとも一つの更に別の連結点を介して運搬ユニット又は製品キャリアと連結することが可能であるとともに、運搬ユニット又は製品キャリアによって、この少なくとも一つの更に別の連結点を介して駆動することが可能であり、移動方向に配置された少なくとも一つのガイド要素を備えた少なくとも一つの更に別の運搬ユニットを有し、この少なくとも一つの更に別の運搬ユニットは、移動方向に配置された、この更に別の運搬ユニットを駆動する更に別の駆動磁石を有し、この製品キャリア又はこの少なくとも一つの更に別の製品キャリアは、第二の更に別の連結点を介して、この更に別の運搬ユニットと連結することが可能であるとともに、この更に別の運搬ユニットによって、この第二の更に別の連結点を介して駆動することが可能である。即ち、本運搬装置は、任意の配列の運搬ユニットと製品キャリアを有することができ、各配列の運搬ユニットと製品キャリアは、それぞれ連結点を介して連結することが可能である。しかし、この場合、本運搬装置は、少なくとも一つの運搬ユニットと少なくとも一つの製品キャリアから構成されなければならず、この少なくとも一つの製品キャリアは、駆動力を持たず、この少なくとも一つの運搬ユニットによって、移動方向に牽引されるか、或いは押し進められる。
【００１１】
「連結することが可能である」とは、全ての実施形態において、運搬ユニットと製品キャリアが単に互いに当接することを意味する。しかし、「連結することが可能である」とは、例えば、連結点に設けられた轅によって、製品キャリア又は運搬ユニットが互いに固く連結されているか、さもなければ解除可能に連結されていることを意味することもできる。連結点において、解除機構により解除することが可能であるロック機構によって、連結を実現することができる。例えば、この連結は、例えば、永久磁石による磁石式連結などで実現することができる。
【００１２】
製品キャリア又は更に別の製品キャリアは、移動方向に折り曲がり可能な形で実現することができる。それにより曲率半径がより短い運搬区間の使用も可能になるので、これは、特に、長い製品キャリアの場合に有利である。
【００１３】
製品キャリア又は更に別の製品キャリアは、その時々の製品又はその時々の荷物をより良好に運搬するために、製品又は荷物と係合させることが可能な係合部品を備えることができる。当然のことながら、この運搬ユニット自体も係合部品を備えることができる。
【００１４】
移動方向に向けられた運搬区間を有する長固定子リニアモーターは、本発明による運搬装置を有し、更に、少なくとも一つの運搬装置を運搬区間に沿って案内するために、ガイド要素と協力して動作する区間ガイド要素と、少なくとも一つの運搬装置を運搬区間に沿って駆動するために、駆動磁石と協力して動作するように構成された、運搬区間に沿って並んで配置された一定数の駆動コイルとを有する。運搬ユニットによって運搬区間に沿って製品キャリアを駆動するために、製品キャリアは、運搬区間において、連結点を介して運搬ユニットと連結されている。
【００１５】
この場合、本長固定子リニアモーターは、運搬ユニットの少なくとも一つのガイド要素及び製品キャリアの少なくとも一つのガイド要素と協力して動作する第一の区間ガイド要素を備えることができる。
【００１６】
本長固定子リニアモーターは、更に、製品キャリアの第二のガイド要素と協力して動作する第二の区間ガイド要素を備えることができる。それにより、更に大きな荷物、例えば、更に重い製品を運搬することができる。
【００１７】
本長固定子リニアモーターは、運搬ユニットのガイド要素と協力して動作する第一の区間ガイド要素を備えるとともに、製品キャリアのガイド要素と協力して動作する第二の区間ガイド要素を備えることができる。例えば、この第一のガイド要素を、より小さな荷物に対するサイズで設計し、この第二のガイド要素を、より大きな荷物に対するサイズで設計することができる。このことは、製品キャリアが荷物自体を運搬する役割を果たし、運搬装置が第一に推進力を提供する役割を果たすので、有利である。そのため、第一の区間ガイド要素と第二の区間ガイド要素を異なる形態で実現することができる。更に、運搬ユニットのガイド要素と製品キャリアのガイド要素を異なる形態で実現することができる。そのように、例えば、運搬ユニットのガイド要素を、より小さな荷物に対するサイズで設計し、製品キャリアのガイド要素を、より大きな荷物に対するサイズで設計することと、第一の区間ガイド要素を、より小さな荷物に対するサイズで設計し、第二の区間ガイド要素を、より大きな荷物に対するサイズで設計することとの中の一つ以上を実行することができる。
【００１８】
製品キャリアを運搬ユニットと連結するための連結点は、運搬区間の傍に、即ち、運搬ユニットの側方に配置することができ、それによって、製品キャリアが運搬ユニットの側方に位置する。
【００１９】
製品キャリアのガイド要素が長固定子リニアモーターの区間ガイド要素ではなく、長固定子リニアモーターに属さない外部の部品と協力して動作する実施形態も考えられる。そのように、例えば、ローラーとしてのガイド要素が、長固定子リニアモーターに属する区間ガイド要素によって案内される代わりに、平面の形の外部の部品上を転動することができる。連結点が運搬ユニットの側方に設けられている場合、製品キャリアは、運搬区間の傍で、それに対応するガイド要素を介して外部の部品と協力して動作することができる。
【００２０】
製品キャリアのガイド要素、例えば、ローラー、レール等が、外部のガイド要素、例えば、ローラー、レール、ローラーテーブル等の形の外部の部品と協力して動作することもできる。連結点が運搬ユニットの側方に設けられている場合、製品キャリアは、運搬区間の傍で、それに対応するガイド要素を介して外部のガイド要素によって案内することができる。
【００２１】
この外部の部品が、外部のガイド要素として実現されている場合、製品キャリア自体の所のガイド要素を省くこともできる。そして、製品キャリアは、それ自体で独自のガイド要素無しでガイド要素、例えば、ローラー、レール、ローラーテーブル等の上を転動又は滑走することができる。連結点が運搬ユニットの側方に設けられている場合、製品キャリアは、外部のガイド要素を介して、運搬区間の傍を案内することができる。
【００２２】
製品キャリアとして、例えば、平面モーター式運搬ユニットを配備することができる。この平面モーター式運搬ユニットは、確かに長固定子リニアモーターに対しては駆動部を持たないが、平面モーターと連結するための磁気連結部品を有する。それにより、例えば、製品キャリアとしての平面モーター式運搬ユニットは、平面モーターの所の運搬ユニットを用いて位置に着けることができる。
【００２３】
以下において、本発明を制限するものではない本発明の有利な実施形態を例示して模式的に図示する図１〜３ｄを参照して、本発明を詳しく説明する。
【図面の簡単な説明】
【００２４】
【図１】製品キャリアと運搬ユニットのガイド要素に対する区間ガイド要素を備えた長固定子リニアモーターの模式図
【図２ａ】製品キャリアの少なくとも一つの第二のガイド要素に対する追加の第二の区間ガイド要素を備えた運搬区間の模式図
【図２ｂ】運搬ユニットのガイド要素に対する第一の区間ガイド要素と製品キャリアのガイド要素に対する第二の区間ガイド要素を備えた運搬区間の模式図
【図３ａ】一つの運搬ユニットと一つの製品キャリアから成る運搬装置の模式図
【図３ｂ】一つの運搬ユニットと二つの製品キャリアから成る運搬装置の模式図
【図３ｃ】二つの運搬ユニットと一つの製品キャリアから成る運搬装置の模式図
【図３ｄ】二つの運搬ユニットと二つの製品キャリアから成る運搬装置の模式図
【発明を実施するための形態】
【００２５】
図１は、長固定子リニアモーター１の簡単な例を図示している。この場合、長固定子リニアモーター１は、ここでは、閉じた形で実現された運搬区間１０として実現されている。この運搬区間１０には、可動磁界を発生させるために、（幾つかの駆動コイルＳｍに対してのみ表示された）制御ユニットＲの制御の下で、（絶対値と方向を有するベクトルとしての）コイル電流ｉＡが流される多数の駆動コイルＳｍが配置されている。移動方向ｘに並んで配置された駆動コイルＳｍは、運搬区間１０の所の固定位置の（図１では、単に大まかに表示された）保持構造３に配置されている。本発明による運搬装置２が例として図示されており、当然のことながら、長固定子リニアモーター１には、通常、複数の運搬装置２が配備されている。これらの運搬装置２は、運搬区間１０に沿って移動方向ｘに動かされ、そのために、それぞれ好適な手法により固定的に配置された運搬区間１０の所を区間ガイド要素１０１によって案内される。自明のことながら、運搬区間１０に沿って、二つ以上の運搬装置２を動かすこともでき、各運搬装置２は、運搬装置２に属する運搬ユニット２０の領域内の駆動コイルＳｍに相応の電流を流すことによって、（方向、位置、速度及び加速度に関して）それ以外の運搬ユニット１と独立して動かすことができる。この場合、運搬区間１０は、用途及び必要に応じて、任意の形状にすることができるとともに、閉じた区間区画及び／又は開いた区間区画から構成することができる。運搬区間１０は、平面内に有る必要はなく、空間内を任意に敷設することもできる。この長固定子リニアモーター１の基本的な機能方式は、十分に知られており、その結果、ここでは、それに更に立ち入らない。
【００２６】
一つの運搬装置２は、一つの運搬ユニット２０と、連結点で運搬ユニット２０と連結することが可能な少なくとも一つの製品キャリア２１とを有する。この運搬ユニット２０は、移動方向ｘに対して側方に配置された駆動磁石Ｍ１，Ｍ２を有し、これらの磁石は、駆動コイルＳｍとの協力した動作により移動方向ｘに推進力Ｆを発生させることによって、運搬ユニット２０を駆動する役割を果たす。運搬ユニット２０は、片側だけに駆動磁石Ｍ１，Ｍ２を備えることができる。図１〜３ｄに図示されている通り、第一の数の磁石Ｍ１に追加して、有利には、第一の数の磁石Ｍ１に対して、第二の数の磁石Ｍ２を備え、ここで、第一と第二の数が、有利には、同じであると規定することもできる。運搬ユニット２０が両側に、それぞれ第一の数の磁石Ｍ１又は第二の数の磁石Ｍ２を備えている場合、それに合わせて、（移動方向ｘに見て）運搬区間１０の両側に、それぞれ、運搬ユニット２０の動きを引き起こすために、その時々の磁石Ｍ１，Ｍ２と協力して動作する駆動コイルＳｍを配備することができる。そのために、有利には、磁石Ｍ１，Ｍ２の領域内の駆動コイルＳｍだけに電流が流され、この領域は、運搬ユニット２０の前及び／又は後に位置する駆動コイルＳｍを含むことができる。
【００２７】
製品キャリア２１は、駆動磁石Ｍ１，Ｍ２を備えていないが、連結点Ｋを介して運搬ユニット２０と連結することが可能であり、そのため、運搬ユニット２０によって駆動することが可能である。そのため、製品キャリア２１は、それ自体独自の駆動力を持たず、そのため駆動部を持たない、即ち、製品キャリア２１は、単独では運搬区間１０に沿って動くことができない。それに対して、運搬ユニット２０は、協力して動作する駆動磁石Ｍ１，Ｍ２と駆動コイルＳｍから得られる独自の駆動力を有し、従って、この駆動力により運搬区間１０に沿って動くことが可能である。
【００２８】
即ち、運搬ユニット２０は、駆動磁石Ｍ１，Ｍ２の領域内の駆動コイルＳｍと協力して動作する駆動磁石Ｍ１，Ｍ２によって、移動方向ｘの推進力Ｆを受けて、この推進力Ｆを連結点Ｋを介して製品キャリア２１に伝達する。この場合、製品キャリア２１は、図１に図示されている通り、移動方向ｘに対して運搬ユニット２０の前に置くか、或いはその後に置くこともできる。製品キャリア２１が、移動方向ｘに対して運搬ユニット２０の前に有る場合、運搬ユニット２０は、製品キャリア２１を前に推し進めて、運搬ユニット２０と製品キャリア２１との当接部によって、連結点Ｋを形成することができる。しかし、有利には、連結点Ｋは、解除可能に構成することもできる固定的な連結部である。そのように、連結点Ｋとして、図１〜３ｄにも表示されている通り、轅を配備することができる。そのような固定的又は解除可能な連結部は、特に、製品キャリア２１が移動方向ｘに対して運搬ユニット２０の前に有る場合に、推進力を運搬ユニット２０から製品キャリア２１に伝達するのに有効である。製品キャリア２１は、ここでは、製品４と係合させることができる係合部品２１３を有する。それにより、製品４１を移動方向に運搬することができる。当然のことながら、運搬ユニット２０も係合部品を有することができるが、主として、製品キャリア２１が、荷物又は製品４を運搬するために配備されている。見易くするために、別の図面での係合部品２１３の図示は省略している。
【００２９】
運搬ユニット２０の少なくとも一方の側には、少なくとも一つの第一のガイド要素２０１が配置されている。この少なくとも一つの第一のガイド要素２０１は、図１に図示されている通り、有利には、第一の数の磁石Ｍ１と同じ側に置くことができるが、運搬装置２の別の側に置くこともできる。この少なくとも一つの第一のガイド要素２０１は、図１に図示されている通り、運搬ユニット２０の側方に配置することができ、当然のことながら、運搬ユニット２０の長手部分の前、後、上及び下の中の一つ以上を延びることができる。一般的には、図１にも表示されている通り、複数の第一のガイド要素２０１が片側に配備される。
【００３０】
同様に、製品キャリア２１の少なくとも一方の側には、同じく図１に図示されている通り、製品キャリア２１の側方に置くことができる少なくとも一つの第一のガイド要素２１１が配置されている。同様に、製品キャリア２１の長手部分の前、後、上及び下の中の一つ以上に配置することも可能であり、一般的には、同じく図１にも表示されている通り、複数の第一のガイド要素２１１が片側に配備される。
【００３１】
図１では、運搬ユニット２０のガイド要素２０１と製品キャリア２１のガイド要素２１１が同じ側に有る。それに対して、運搬区間１０には、運搬装置２を運搬区間１０に沿って移動方向ｘに案内するために、運搬ユニット２０のガイド要素２０１及び製品キャリア２１のガイド要素２１１と協力して動作する区間ガイド要素１０１が配備されている。
【００３２】
図２ａは、図１と同様に、運搬ユニット２０の第一のガイド要素２０１及び製品キャリア２１の少なくとも一つの第一のガイド要素２１１と協力して動作する第一の区間ガイド要素１０１を有する、長固定子リニアモーターの運搬区間１０の一部を図示している。しかし、更に、製品キャリア２１の少なくとも一つの第二のガイド要素２１２と協力して動作する、少なくとも一つの第二の区間ガイド要素１０２が配備されている。製品キャリア２１が少なくとも一つの第一のガイド要素２１１を介して第一の区間ガイド要素１０２と係合し、更に、少なくとも一つの第二のガイド要素２０２を介して第二の区間ガイド要素１０２と係合することによって、製品キャリア２１を用いて、例えば、第一の区間ガイド要素１０１単独の設計対象ではない重い荷物をも運搬することができる。ここでは、第二の区間ガイド要素１０２が、単なる例として、第一の区間ガイド要素１０１に対向して配備されているが、任意の側に置くことも、同じ側に置くこともできる。同様に、この製品キャリア２１の少なくとも一つの第二のガイド要素２１２は、単なる例として、製品キャリア２１の少なくとも一つの第一のガイド要素２１１に対向して配置されている。
【００３３】
図２ｂには、運搬ユニット２０の少なくとも一つのガイド要素２０１と協力して動作する第一の区間ガイド要素１０１を有する、長固定子リニアモーターの運搬区間１０の一部が図示されている。更に、製品キャリア２１の少なくとも一つのガイド要素２１１と協力して動作する第二の区間ガイド要素１０２が配備されている。ここでも、第二の区間ガイド要素１０２は、単なる例として、第一の区間ガイド要素１０１に対向して配備されている。そのため、この第一の区間ガイド要素１０１は、運搬ユニット２０の要件、即ち、発生させる推進力Ｆの要件に応じて設計することができる。それに対して、第二の区間ガイド要素１０２は、製品キャリア２１の要件に応じて、即ち、特に、重い製品４又は重い荷物を案内するように設計することができる。
【００３４】
運搬ユニット２０のガイド要素２０１，２０２も、製品キャリア２１のガイド要素２１１，２１２も、ローラー、ホイール、スライド部品、ガイド面、スライド面などとして実現することができ、区間ガイド要素１０１，１０２は、当然のことながら、各ガイド要素２０１，２０２，２１１，２１２をそこで案内できるように構成しなければならない。駆動コイルＳｍは、有利には、コンパクトな構成を実現するために、区間ガイド要素１０１，１０２の領域に、例えば、同じく保持構造３の所に配置される。当然のことながら、駆動コイルＳｍを区間ガイド要素１０１，１０２と異なる側に置くことも考えられ、それによって、当然のことながら、磁石Ｍ１，Ｍ２も駆動コイルＳｍの側に取り付けなければならない。
【００３５】
当然のことながら、運搬区間に沿って、それぞれ必要に応じて、存在する運搬ユニット２０及び製品キャリア２１のガイド要素２０１，２０２，２１１，２１２と協力して動作することができる、第一と第二の区間ガイド要素１０１，１０２の如何なる組合せも考えられる。そのように、運搬区間１０は、少なくとも部分的に二つの側に区間ガイド要素１０１，１０２を備えるか、或いは、運搬ユニット２０又は製品キャリア２１が二つの側にガイド要素２０１，２０２，２１１，２１２を有する場合でも、少なくとも部分的に片側にガイドを備えることができる。
【００３６】
図１及び図２ａ，２ｂでは、それぞれ運搬ユニット２０と、連結点Ｋを介して運搬ユニット２０と連結された製品キャリア２１とから成る運搬装置２が図示されており、製品キャリア２１は、移動方向ｘに対して運搬ユニット２０の前に有る。運搬ユニット２０と製品キャリア２１は、連結することが可能であり、そのことは、これらが固く、或いは解除可能に連結されているか、或いは連結できることを意味する。図示された有利な実施構成では、運搬ユニット２０と製品キャリア２１は、例えば、連結された形で図示されている。
【００３７】
当然のことながら、運搬装置２は、図３ａに図示されている通り、運搬ユニット２０と、連結点Ｋを介して運搬ユニット２０と連結された、移動方向ｘに対して運搬ユニット２０の後に有る製品キャリア２１とから構成することができる。
【００３８】
図３ａ〜３ｄには、別の運搬装置２が図示され、見易くするために、長固定子リニアモーター２又は運搬区間１０の図示が省略されており、例えば、片側だけにガイド要素２１１，２０１が配備されている。当然のことながら、これらの運搬装置２は、上述した通り、同じく長固定子リニアモーター２に適しており、ガイド要素２１１，２０１の上で述べた配置構成を規定することもできる。
【００３９】
図３ｂは、運搬ユニット２０と第一の製品キャリア２１の外に、更に別の製品キャリア２１’を有する運搬装置２を図示している。ここでは、第一の製品キャリア２１は、第一の連結点を介して運搬ユニット２０と連結されており、移動方向ｘに対して運搬ユニット２０の前に有る。この更に別の製品キャリア２１’は、更に別の連結点Ｋ’を介して運搬ユニット２０と連結されており、移動方向ｘに対して運搬ユニット２０の後に有る。それにより、運搬ユニット２０は、推進力Ｆを連結点Ｋを介して第一の製品キャリア２１に伝達し、更に別の連結点Ｋ’を介して更に別の製品キャリア２１’に伝達する。この更に別の製品キャリア２１’は、当然のことながら、更に別の連結点Ｋ’を介して製品キャリア２１と連結することもできる。この場合、推進力Ｆは、運搬ユニット２０から連結点Ｋを介して第一の製品キャリア２１に伝達され、第一の製品キャリア２１から更に別の連結点Ｋ’を介して更に別の製品キャリア２１’に伝達される。
【００４０】
図３ｃは、運搬装置２の別の実施形態を図示しており、製品キャリア２１が、第一の運搬ユニット２０と更に別の運搬ユニット２１’の間に有って、第一の連結点Ｋを介して第一の運搬ユニット２１と連結され、更に別の連結点Ｋ’を介して更に別の運搬ユニット２１’と連結されている。
【００４１】
図３ｄには、それぞれ連結点Ｋ，Ｋ’を介して互いに連結された運搬ユニット、製品キャリア、更に別の運搬ユニット２０’及び更に別の製品キャリア２１’から成る運搬装置が図示されている。そのため、運搬装置２としては、移動方向ｘに連結することが可能な、或いは連結された運搬ユニット２０と製品キャリア２１の任意の配列が考えられる。
【図１】
2021528336.tif 000003
【図２ａ】
2021528336.tif 000004
【図２ｂ】
2021528336.tif 000005
【図３ａ】
2021528336.tif 000006
【図３ｂ】
2021528336.tif 000007
【図３ｃ】
2021528336.tif 000008
【図３ｄ】
2021528336.tif 000009
【国際調査報告】
2021528336.tif 000010
2021528336.tif 000011
2021528336.tif 000012
2021528336.tif 000013
2021528336.tif 000014
2021528336.tif 000015